(57)【要約】【課題】利便性及び安全性を向上できるナビゲーション装置を提供することを目的とする。【解決手段】位置と電話番号とを対応付けた電話番号情報を記憶する記憶部３と、電話番号を入力する操作部５と、操作部５の入力状態を表示する入力表示部１１ａと、操作部５で入力された電話番号を含む電話番号情報を検索する検索部とを備え、検索部で抽出された電話番号情報の位置を目的地として登録するナビゲーション装置１において、操作部５による電話番号の入力を開始する際に最初に「０」が入力された状態にした。【選択図】図３
2007232447.tif 000002
【特許請求の範囲】
【請求項１】
位置と電話番号とを対応付けた電話番号情報を記憶する記憶部と、電話番号を入力する操作部と、前記操作部の入力状態を表示する入力表示部と、前記操作部で入力された電話番号を含む電話番号情報を検索する検索部とを備え、前記検索部で抽出された電話番号情報の位置を目的地として登録するナビゲーション装置において、前記操作部による電話番号の入力を開始する際に、最初に「０」が入力された状態にしたことを特徴とするナビゲーション装置。
【請求項２】
前記操作部による最初の入力値が「０」の場合に、入力を受付けないことを特徴とする請求項１に記載のナビゲーション装置。
【発明の詳細な説明】
【技術分野】
【０００１】
本発明は、入力された電話番号で検索した位置を目的地として登録できるナビゲーション装置に関する。
【背景技術】
【０００２】
従来のナビゲーション装置は特許文献１に開示されている。このナビゲーション装置は位置と電話番号とが対応付けられた電話番号情報が記憶部に記憶され、操作部で入力した電話番号を検索する。そして、検索により抽出された電話番号情報が示す位置を目的地として登録することができる。これにより、簡単に目的地を特定して登録することができる。
【特許文献１】特開平８−９４３７８号公報（第３頁−第８頁、第１２図）
【発明の開示】
【発明が解決しようとする課題】
【０００３】
しかしながら、上記従来のナビゲーション装置によると、電話番号を市外局番から全て入力する必要がある。このため、入力操作が多くなり、ナビゲーション装置の利便性が悪い問題があった。また、車の運転中に入力操作を行い場合は安全性が低下する問題もある。
【０００４】
本発明は、利便性及び安全性を向上できるナビゲーション装置を提供することを目的とする。
【課題を解決するための手段】
【０００５】
上記目的を達成するために本発明は、位置と電話番号とを対応付けた電話番号情報を記憶する記憶部と、電話番号を入力する操作部と、前記操作部の入力状態を表示する入力表示部と、前記操作部で入力された電話番号を含む電話番号情報を検索する検索部とを備え、前記検索部で抽出された電話番号情報の位置を目的地として登録するナビゲーション装置において、前記操作部による電話番号の入力を開始する際に、最初に「０」が入力された状態にしたことを特徴としている。
【０００６】
この構成によると、電話番号検索に移行すると、入力表示部の最初に「０」の文字が入力済の状態になり、操作部によって「０」に続く電話番号が入力される。電話番号の入力が完了すると検索部で検索が行われ、記憶部から抽出された電話番号情報に含まれる住所や座標等から成る位置が目的地として登録される。
【０００７】
また本発明は、上記構成のナビゲーション装置において、前記操作部による最初の入力値が「０」の場合に、入力を受付けないことを特徴としている。
【発明の効果】
【０００８】
本発明によると、電話番号検索により目的地を特定する場合に操作部による電話番号の入力を開始する時に最初に「０」が入力された状態にしたので、電話番号の入力操作を削減することができる。従って、ナビゲーション装置の利便性及び安全性を向上することができる。
【０００９】
また本発明によると、操作部による最初の入力値が「０」の場合に、入力を受付けないので、電話番号の最初が「００」となる誤入力を防止することができる。
【発明を実施するための最良の形態】
【００１０】
以下に本発明の実施形態を図面を参照して説明する。図１は一実施形態のナビゲーション装置の構成を示すブロック図である。ナビゲーション装置１はＣＰＵから成る制御部２を有している。制御部２には記憶部３、表示部４、操作部５、現在位置検出部６が接続される。
【００１１】
記憶部３はＲＡＭ、ＲＯＭ及びＨＤＤから成り、ナビゲーション装置１の動作プログラムを記憶するとともに、制御部２による演算結果を一時記憶する。動作プログラムを制御部２が実行してナビゲーション装置１の各部が制御される。また、記憶部３には地図記憶部３ａ及び電話番号情報記憶部３ｂが設けられる。地図情報記憶部３ａは地図情報を記憶する。電話番号情報記憶部３ｂは電話番号と住所や座標等から成る位置とを対応付けた電話番号情報のデータベースを記憶する。
【００１２】
表示部４は液晶パネル等から成り、地図や設定画面を表示する。操作部５はリモートコントローラや表示部４の表面に設けたタッチパネル等から成り、使用者による入力操作を行う。現在位置検出部６はＧＰＳから成り、使用者の現在位置を検出する。
【００１３】
ナビゲーション装置１は操作部５で入力された情報によって目的地を登録し、目的地までのルートを表示部４の地図画面上に示して使用者を案内する。図２は目的地を設定する設定画面を示している。設定画面１０は操作部５を構成するタッチパネルにより地図入力キー１０ａ、電話番号検索キー１０ｂ、施設名検索キー１０ｃ、住所検索キー１０ｄ、戻るキー１０ｅが設けられている。
【００１４】
地図入力キー１０ａの操作により、表示部４に表示される地図上の指定した位置を目的地として登録できる。電話番号検索キー１０ｂの操作により、操作部５で入力した電話番号を検索して該電話番号に対応する位置を目的地として登録できる。施設名検索キー１０ｃの操作により、操作部５で入力した文字列を含む施設名が検索され、抽出された施設を目的地として登録できる。
【００１５】
住所検索キー１０ｄの操作により、操作部５で入力した住所の位置を目的地として登録できる。戻るキー１０ｅの操作により設定画面１０の前画面に移行することができる。また、設定画面１０の下部にはメッセージを表示するステータスバー１０ｆが設けられている。尚、座標入力により目的地を登録してもよい。
【００１６】
図３は電話番号検索キー１０ｂの操作により呼び出される電話番号検索の動作を示すフローチャートである。電話番号検索が呼び出されるとステップ＃１１で図４に示す入力画面１１が表示される。入力画面１１は操作部５を構成するタッチパネルにより数値キー１１ｂ、検索キー１１ｃ、戻るキー１１ｄが設けられる。数値キー１１ｂの操作により電話番号を入力できる。入力された数値は数値キー１１ｂの上方に配された入力表示部１１ａに追加表示される。
【００１７】
画面の右端に配された検索キー１１ｃは入力表示部１１ａに表示された電話番号による検索の実行を指示する。戻るキー１１ｄは使用者の操作により前画面に移行する。尚、入力画面１１の下部にはメッセージを表示するステータスバー１１ｅが設けられている。
【００１８】
ステップ＃１２では数値キー１１ｂにより「０」が入力された状態になる。即ち、入力表示部１１ｂの先頭に「０」が表示される。ステップ＃１３〜＃１７は操作部５による操作を待機し、ステップ＃１３では「０」の入力があったか否かが判断される。「０」の入力があった場合は何も行わずにステップ＃１３に戻る。
【００１９】
「０」の入力でない場合はステップ＃１４に移行し、数値キー１１ｂによる他の数値入力があったか否かが判断される。数値入力があった場合はステップ＃１５に移行し、入力された数値が入力表示部１１ａに追加表示される。数値入力でない場合はステップ＃１６に移行し、戻るキー１１ｄが操作されたか否かが判断される。
【００２０】
戻るキー１１ｄが操作された場合はステップ＃２２に移行して前画面の設定画面１０（図２参照）が表示される。戻るキー１１ｄが操作されていない場合はステップ＃１７で検索キー１１ｃが操作されたか否かが判断される。検索キー１１ｃが操作されていない場合はステップ＃１４に戻ってステップ＃１４〜＃１７が繰り返し行われる。これにより、検索キー１１ｃが操作されるまで数値キー１１ｂによる電話番号入力が継続される。
【００２１】
図５に示すように電話番号入力が完了し、検索キー１１ｃが操作されるとステップ＃１８に移行する。ステップ＃１８では入力表示部１１ａに入力された電話番号で電話番号情報のデータベースが検索される。従って、ステップ＃１８は操作部５で入力された電話番号を含む電話番号情報を検索する検索部を構成する。
【００２２】
ステップ＃１９では入力された電話番号を含む電話番号情報を検出したか否かが判断される。入力された電話番号を含む電話番号情報が検出されなかった場合はステップ＃２０でステータスバー１１ｅにメッセージを表示し、ステップ＃１１に戻る。これにより、前述の図４に示す初期の入力画面１１が表示され、再度電話番号を入力することができる。
【００２３】
入力された電話番号を含む電話番号情報が検出された場合はステップ＃２１に移行する。ステップ＃２１では検出された電話番号情報から住所や座標等の位置の情報が取り出され、目的地として登録される。
【００２４】
本実施形態によると、電話番号検索により目的地を登録する際に、数値キー１１ｂによる電話番号の入力を開始する時に最初に「０」が入力された状態にしたので、電話番号の入力操作を削減することができる。従って、ナビゲーション装置１の利便性を向上することができる。加えて、車の運転中の入力操作を削減して安全性を向上することができる。
【００２５】
また、ステップ＃１３で数値キー１１ｂによる最初の入力値が「０」の場合に、入力表示部１１ａに表示せずに入力が受付けられない。従って、電話番号の最初が「００」となる誤入力を防止することができる。
【産業上の利用可能性】
【００２６】
本発明は、使用者により入力された電話番号で検索した位置を目的地として登録できるナビゲーション装置に利用することができる。
【図面の簡単な説明】
【００２７】
【図１】本発明の実施形態のナビゲーション装置の構成を示すブロック図である。
【図２】本発明の実施形態のナビゲーション装置の目的地の設定画面を示す図である。
【図３】本発明の実施形態のナビゲーション装置の電話番号検索の動作を示すフローチャートである。
【図４】本発明の実施形態のナビゲーション装置の電話番号検索時の入力画面を示す図である。
【図５】本発明の実施形態のナビゲーション装置の電話番号検索時の入力画面を示す図である。
【符号の説明】
【００２８】
１    ナビゲーション装置
２    制御部
３    記憶部
４    表示部
５    操作部
６    現在位置検出部
１０    設定画面
１１    入力画面
１１ａ  入力表示部
１１ｂ  数値キー
１１ｃ  検索キー
【図１】
2007232447.tif 000003
【図２】
2007232447.tif 000004
【図３】
2007232447.tif 000005
【図４】
2007232447.tif 000006
【図５】
2007232447.tif 000007